(57)【要約】  本開示の態様は、第１のトランシーバと第２のトランシーバとを含む、ユーザ機器（ＵＥ）、およびＵＥを使用するワイヤレス通信の方法に関する。本方法は、第２のトランシーバが第２の送信を使用して通信するようにスケジュールされることと同時に、第１のトランシーバが第１の送信を使用して通信するようにスケジュールされると決定することと、トランシーバの同時送信によるバッテリー電圧ドループを緩和するために第１のトランシーバと第２のトランシーバとのうちの少なくとも１つの動作を変更することとを含む。他の態様、実施形態、および特徴も請求され、説明される。
2016509413.tif 000002
【特許請求の範囲】
【請求項１】
第１のトランシーバと第２のトランシーバとを備えるユーザ機器（ＵＥ）を使用するワイヤレス通信の方法であって、
前記第２のトランシーバが第２の送信を使用して通信するようにスケジュールされることと同時に、前記第１のトランシーバが第１の送信を使用して通信するようにスケジュールされると決定することと、
前記トランシーバの同時送信によるバッテリー電圧ドループを緩和するために前記第１のトランシーバと前記第２のトランシーバとのうちの少なくとも１つの動作を変更することと
を備える、方法。
【請求項２】
前記第１のトランシーバと前記第２のトランシーバとのうちの少なくとも１つの前記動作を前記変更することが、同時送信による比吸収率を低減するために前記トランシーバのうちの少なくとも１つの送信を控えることを備える、請求項１に記載の方法。
【請求項３】
前記第１のトランシーバと前記第２のトランシーバとのうちの少なくとも１つの前記動作を前記変更することが、同時送信による前記ＵＥの過熱を緩和するために前記トランシーバのうちの少なくとも１つの送信を控えることを備える、請求項１に記載の方法。
【請求項４】
前記第１のトランシーバと前記第２のトランシーバとのうちの少なくとも１つの前記動作を前記変更することが、前記送信の電力を低減するために、前記送信を時間的にシフトするために、または前記送信を控えるために、前記トランシーバのうちの少なくとも１つの送信を変更することを備える、請求項１に記載の方法。
【請求項５】
前記動作が同時送信の瞬間ごとに電力制御行列に基づいて変更されると決定することをさらに備える、請求項１に記載の方法。
【請求項６】
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、請求項５に記載の方法。
【請求項７】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項５に記載の方法。
【請求項８】
前記第１のトランシーバと前記第２のトランシーバとのうちの少なくとも１つの前記動作を前記変更することが、前記第１のトランシーバと前記第２のトランシーバとのそれぞれの送信電力を、電力バジェットを超えないそれらの合成送信電力を制限するように調整することを備える、請求項１に記載の方法。
【請求項９】
それぞれの送信電力を前記調整することが、前記トランシーバのそれぞれの優先度と前記電力バジェットとに基づいて前記トランシーバの前記送信電力を調整することを備える、請求項８に記載の方法。
【請求項１０】
前記トランシーバの前記送信電力を前記調整することが、それらの優先度に基づいて前記トランシーバに前記電力バジェットのそれぞれの部分を割り振ることを備える、請求項９に記載の方法。
【請求項１１】
第１のトランシーバおよび第２のトランシーバと、
前記第２のトランシーバが第２の接続を使用して通信するようにスケジュールされることと同時に、前記第１のトランシーバが第１の接続を使用して通信するようにスケジュールされると決定するための手段と、
前記トランシーバの同時接続によるバッテリー電圧ドループを緩和するために前記第１のトランシーバと前記第２のトランシーバとのうちの少なくとも１つの動作を変更するための手段と
を備える、ワイヤレス通信のための装置。
【請求項１２】
前記動作を変更するための前記手段が、同時送信による比吸収率を低減するために前記トランシーバのうちの少なくとも１つの送信を控えるように構成された、請求項１１に記載の装置。
【請求項１３】
前記動作を変更するための前記手段が、同時送信による前記装置の過熱を緩和するために前記トランシーバのうちの少なくとも１つの送信を控えるように構成された、請求項１１に記載の装置。
【請求項１４】
前記第１のトランシーバと前記第２のトランシーバとのうちの少なくとも１つの前記動作を変更するための前記手段が、前記送信の電力を低減するために、前記送信を時間的にシフトするために、または前記送信を控えるために、前記トランシーバのうちの少なくとも１つの送信を変更するための手段を備える、請求項１１に記載の装置。
【請求項１５】
前記動作が同時送信の瞬間ごとに電力制御行列に基づいて変更されると決定するための手段をさらに備える、請求項１１に記載の装置。
【請求項１６】
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、請求項１５に記載の装置。
【請求項１７】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項１５に記載の装置。
【請求項１８】
前記第１のトランシーバと前記第２のトランシーバとのうちの少なくとも１つの前記動作を変更するための前記手段が、前記第１のトランシーバと前記第２のトランシーバとのそれぞれの送信電力を、電力バジェットを超えないそれらの合成送信電力を制限するように調整するための手段を備える、請求項１１に記載の装置。
【請求項１９】
それぞれの送信電力を前記調整するための前記手段が、前記トランシーバのそれぞれの優先度と前記電力バジェットとに基づいて前記トランシーバの前記送信電力を調整するための手段を備える、請求項１８に記載の装置。
【請求項２０】
前記トランシーバの前記送信電力を調整するための前記手段が、それらの優先度に基づいて前記トランシーバに前記電力バジェットのそれぞれの部分を割り振るための手段を備える、請求項１９に記載の装置。
【請求項２１】
第１のトランシーバと第２のトランシーバとを備えるユーザ機器（ＵＥ）に、
前記第２のトランシーバが第２の送信を使用して通信するようにスケジュールされることと同時に、前記第１のトランシーバが第１の送信を使用して通信するようにスケジュールされると決定することと、
前記トランシーバの同時送信によるバッテリー電圧ドループを緩和するために前記第１のトランシーバと前記第２のトランシーバとのうちの少なくとも１つの動作を変更することと
を行わせるためのコードを備えるコンピュータ可読記憶媒体
を備える、コンピュータプログラム製品。
【請求項２２】
前記ＵＥに前記動作を変更させるための前記コードが、前記ＵＥに、同時送信による比吸収率を低減するために前記トランシーバのうちの少なくとも１つの送信を控えさせるためのコードを備える、請求項２１に記載のコンピュータプログラム製品。
【請求項２３】
前記ＵＥに前記動作を変更させるための前記コードが、前記ＵＥに、同時送信による前記ＵＥの過熱を緩和するために前記トランシーバのうちの少なくとも１つの送信を控えさせるためのコードを備える、請求項２１に記載のコンピュータプログラム製品。
【請求項２４】
前記ＵＥに前記動作を変更させるための前記コードが、前記ＵＥに、前記送信の電力を低減するために、前記送信を時間的にシフトするために、または前記送信を控えるために、前記トランシーバのうちの少なくとも１つの送信を変更させるためのコードを備える、請求項２１に記載のコンピュータプログラム製品。
【請求項２５】
前記コンピュータ可読記憶媒体は、前記ＵＥに、前記動作が同時送信の瞬間ごとに電力制御行列に基づいて変更されると決定させるためのコードをさらに備える、請求項２１に記載のコンピュータプログラム製品。
【請求項２６】
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、請求項２５に記載のコンピュータプログラム製品。
【請求項２７】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項２５に記載のコンピュータプログラム製品。
【請求項２８】
前記ＵＥに前記動作を変更させるための前記コードが、前記ＵＥに、前記第１のトランシーバと前記第２のトランシーバとのそれぞれの送信電力を、電力バジェットを超えないそれらの合成送信電力を制限するように調整させるためのコードを備える、請求項２１に記載のコンピュータプログラム製品。
【請求項２９】
前記ＵＥにそれぞれの送信電力を調整させるための前記コードが、前記ＵＥに、前記トランシーバのそれぞれの優先度と前記電力バジェットとに基づいて前記トランシーバの前記送信電力を調整させるためのコードを備える、請求項２８に記載のコンピュータプログラム製品。
【請求項３０】
前記ＵＥに前記トランシーバの前記送信電力を調整させるための前記コードが、前記ＵＥに、それらの優先度に基づいて前記トランシーバに前記電力バジェットのそれぞれの部分を割り振らせるためのコードを備える、請求項２９に記載のコンピュータプログラム製品。
【請求項３１】
少なくとも１つのプロセッサと、
前記少なくとも１つのプロセッサに両方とも結合された第１のトランシーバと第２のトランシーバとを備える通信インターフェースと、
前記少なくとも１つのプロセッサに結合されたメモリと
を備え、
ここにおいて、前記少なくとも１つのプロセッサは、
前記第２のトランシーバが第２の送信を使用して通信するようにスケジュールされることと同時に、前記第１のトランシーバが第１の送信を使用して通信するようにスケジュールされると決定することと、
前記トランシーバの同時送信によるバッテリー電流ドループを緩和するために前記第１のトランシーバと前記第２のトランシーバとのうちの少なくとも１つの動作を変更することと
を行うように構成された、ワイヤレス通信のための装置。
【請求項３２】
前記少なくとも１つのプロセッサが、同時送信による比吸収率を低減するために前記トランシーバのうちの少なくとも１つの送信を控えるようにさらに構成された、請求項３１に記載の装置。
【請求項３３】
前記少なくとも１つのプロセッサが、同時送信による前記装置の過熱を緩和するために前記トランシーバのうちの少なくとも１つの送信を控えるようにさらに構成された、請求項３１に記載の装置。
【請求項３４】
前記少なくとも１つのプロセッサが、前記送信の電力を低減するために、前記送信を時間的にシフトするために、または前記送信を控えるために、前記トランシーバのうちの少なくとも１つの送信を変更するようにさらに構成された、請求項３１に記載の装置。
【請求項３５】
前記少なくとも１つのプロセッサは、前記動作が同時送信の瞬間ごとに電力制御行列に基づいて変更されると決定するようにさらに構成された、請求項３１に記載の装置。
【請求項３６】
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、請求項３５に記載の装置。
【請求項３７】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項３５に記載の装置。
【請求項３８】
前記少なくとも１つのプロセッサが、前記第１のトランシーバと前記第２のトランシーバとのそれぞれの送信電力を、電力バジェットを超えないそれらの合成送信電力を制限するように調整するようにさらに構成された、請求項３１に記載の装置。
【請求項３９】
前記少なくとも１つのプロセッサが、前記トランシーバのそれぞれの優先度と前記電力バジェットとに基づいて前記トランシーバの前記送信電力を調整するようにさらに構成された、請求項３８に記載の装置。
【請求項４０】
前記少なくとも１つのプロセッサが、それらの優先度に基づいて前記トランシーバに前記電力バジェットのそれぞれの部分を割り振るようにさらに構成された、請求項３９に記載の装置。
【発明の詳細な説明】
【技術分野】
【０００１】
関連出願の参照および優先権主張
[0001]本出願は、その全体が以下に完全に記載されるかのように、およびすべての適用可能な目的のために参照により本明細書に組み込まれる、２０１３年１月１６日に出願された米国非仮出願第１３／７４３，３２９号の継続出願である。
【０００２】
[0002]本特許出願で説明する技術は、一般にワイヤレス通信システムに関し、より詳細には、マルチトランシーバワイヤレス通信デバイスにおけるバッテリー電圧ドループ（voltage droop）を緩和するための装置および方法に関する。説明する技術の機能は電力効率的な通信を可能にする。
【背景技術】
【０００３】
[0003]ワイヤレス通信ネットワークは、電話、ビデオ、データ、メッセージング、ブロードキャストなどの様々な通信サービスを提供するために広く展開されている。通常、多元接続ネットワークである、そのようなネットワークは、利用可能なネットワークリソースを共有することによって複数のユーザのための通信をサポートする。そのようなネットワークの一例は、モバイル用グローバルシステム（ＧＳＭ（登録商標）：global system for mobile）エアインターフェースを利用するＧＳＭネットワークである。ＧＳＭは第３世代パートナーシッププロジェクト（３ＧＰＰ：3rd Generation Partnership Project）によって定義され、サポートされる。拡張ＧＰＲＳは、第２世代ＧＳＭ技術において利用可能なデータレートを超えた増加したデータレートを与える、ＧＳＭ技術の拡張である。ＥＧＰＲＳは、当分野においてＧＳＭ進化型高速データレート（ＥＤＧＥ：Enhanced Data rates for GSM Evolution）、およびＩＭＴシングルキャリアとしても知られている。
【０００４】
[0004]より最近では、ＥＧＰＲＳのために構成されたいくつかのモバイルデバイスは、デバイスのユーザが２つの異なるサブスクリプション上の音声またはデータ通信に同時に関与することができるように、１つまたは複数のアクセスネットワークへの複数の独立したアクティブ接続をサポートする。たとえば、（ＧＳＭなどの３ＧＰＰ用語ではユーザ機器またはＵＥと呼ばれるが、様々な文献ではアクセス端末、移動局などとも呼ばれる）ワイヤレスモバイル機器は、２つのサブスクリプションへのアクセスを与えるために、加入者の識別情報を記憶するために、ならびに他のセキュリティおよび認証目的で、デュアル加入者識別モジュール（デュアルＳＩＭ）を使用する。これらの２つのサブスクリプションは同じネットワーク上または異なるネットワーク上にあり得る。デバイスは、デバイスが複数のアクティブ接続を同時にサポートすることができるように、複数のトランシーバを利用することができる。しかしながら、複数の独立したアクティブ接続が同時に行われるとき、総送信電力は安全な電流制限を超え、バッテリーの過大な電圧降下（ドループ）またはデバイスの加熱を生じ、接続の間の干渉を生じ得る。
【発明の概要】
【０００５】
[0005]以下で、説明する技術の基本的理解を与えるために、本開示のいくつかの態様を要約する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を要約の形で提示することである。
【０００６】
[0006]一態様では、本開示は、第１のトランシーバと第２のトランシーバとを含むユーザ機器（ＵＥ）を使用するワイヤレス通信の方法を提供する。本方法は、第２のトランシーバが第２の送信を使用して通信するようにスケジュールされることと同時に、第１のトランシーバが第１の送信を使用して通信するようにスケジュールされると決定することと、トランシーバの同時送信によるバッテリー電圧ドループを緩和するために第１のトランシーバと第２のトランシーバとのうちの少なくとも１つの動作を変更することとを含む。
【０００７】
[0007]本開示の別の態様は、第１のトランシーバおよび第２のトランシーバと、第２のトランシーバが第２の接続を使用して通信するようにスケジュールされることと同時に、第１のトランシーバが第１の接続を使用して通信するようにスケジュールされると決定するための手段と、トランシーバの同時接続によるバッテリー電圧ドループを緩和するために第１のトランシーバと第２のトランシーバとのうちの少なくとも１つの動作を変更するための手段とを含むワイヤレス通信のための装置を提供する。
【０００８】
[0008]本開示の別の態様は、第１のトランシーバと第２のトランシーバとを含むユーザ機器（ＵＥ）に、第２のトランシーバが第２の送信を使用して通信するようにスケジュールされることと同時に、第１のトランシーバが第１の送信を使用して通信するようにスケジュールされると決定することと、トランシーバの同時送信によるバッテリー電圧ドループを緩和するために第１のトランシーバと第２のトランシーバとのうちの少なくとも１つの動作を変更することとを行わせるためのコードを含むコンピュータ可読記憶媒体を含むコンピュータプログラム製品を提供する。
【０００９】
[0009]本開示の別の態様は、少なくとも１つのプロセッサと、少なくとも１つのプロセッサに両方とも結合された第１のトランシーバと第２のトランシーバとを含む通信インターフェースと、少なくとも１つのプロセッサに結合されたメモリとを含むワイヤレス通信のための装置を提供する。少なくとも１つのプロセッサは、第２のトランシーバが第２の送信を使用して通信するようにスケジュールされることと同時に、第１のトランシーバが第１の送信を使用して通信するようにスケジュールされると決定することと、トランシーバの同時送信によるバッテリー電圧ドループを緩和するために第１のトランシーバと第２のトランシーバとのうちの少なくとも１つの動作を変更することとを行うように構成される。
【００１０】
[0010]本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１１】
【図１】[0011]いくつかの実施形態による、電気通信システムの一例を概念的に示すブロック図。
【図２】[0012]いくつかの実施形態による、アクセスネットワークの一例を示す概念図。
【図３】[0013]いくつかの実施形態による、処理システムを採用する装置のためのハードウェア実装形態の一例を示すブロック図。
【図４】[0014]電圧ドループおよびデセンス（desense）が生じ得るシナリオを示す図。
【図５】[0015]いくつかの実施形態による、電圧ドループを緩和するためのプロセスを概念的に示すフローチャート。
【図６】[0016]いくつかの実施形態による、バッテリー電圧ドループを緩和するために同時送信への変更を決定するための電力制御行列を示す表。
【図７】[0017]いくつかの実施形態による、同時接続への変更を決定するための電力制御行列を示す表。
【図８】[0018]いくつかの実施形態による、２つのトランシーバを有するＵＥにおいて電力バックオフを実行するためのアルゴリズムを示すフローチャート。
【発明を実施するための形態】
【００１２】
[0019]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１３】
[0020]モバイルフォンなど、いくつかの現代のワイヤレス通信デバイスは２つ以上の無線トランシーバを含み、２つ以上のアクセスネットワークとの同時通信を可能にする。たとえば、単一のデバイス（たとえば、ＵＥ）は、２つの異なる事業者のＧＳＭネットワークに接続することが可能であるか、または別の例では、１つのＧＳＭネットワークおよび１つのＷ−ＣＤＭＡ（登録商標）ネットワーク（第３世代パートナーシッププロジェクト（３ＧＰＰ）によって定義され、サポートされる第３世代エアインターフェース）に接続することが可能であり得る。当然、そのようなモバイルデバイスは、様々な例では、任意の２つのネットワークと通信することを可能にされ得る。そのようなデバイスは、デュアルＳＩＭ、デュアルＳＩＭデュアルスタンバイ、デュアルモード、または他の同様の用語で呼ばれることがある。単一のデバイスが同時に２つまたはそれ以上のトランシーバを利用するとき、電圧ドループ、比吸収率（ＳＡＲ：specific absorption rate）、デバイス過熱、およびデセンスなどの多くの問題が起こることがある。本開示の態様は、これらの問題に対処するための方法および装置を提供する。
【００１４】
[0021]電圧ドループに関して、複数のトランシーバが同時にアップリンク（逆方向リンク）送信を送信することを試みると、それにより、デバイスのバッテリー電圧が一時的にドループすることがある。すなわち、送信機の使用は電力増幅器を起動し、それにより、特に送信が最大送信電力にある場合、バッテリーからかなり実質的な量の電流が引き出される。バッテリーからの電流ドローにおけるこのスパイクは、それがモバイルデバイスに与える電圧の一時的降下を生じ得る。ここで、２つの送信機がこの電流を同時に引き出すとき、バッテリーから引き出される電流は２つの電流ドローの和であり、バッテリーにおける電圧はかなり実質的な量だけドループすることがある。電圧があるしきい値レベルよりも下にドループした場合、モバイルデバイスにおける低電圧検出回路は、バッテリーが事実上完全に充電されているときでも、モデムのソフトウェア遮断を望ましくなく引き起こし得る。
【００１５】
[0022]１つのトランシーバがダウンリンク（順方向リンク）信号を受信しようとすると同時に別のトランシーバがアップリンク（逆方向リンク）信号を送信するとき、デセンスが生じることがある。同様に、一方のトランシーバがアップリンクを送信し、他方のトランシーバがエアチャネルを監視するかまたはそれのいくつかの測定を行うことを試み得るとき、デセンスが生じることがある。これらの場合のいずれかにおいて、極めて近接した送信機による送信は、同時にダウンリンク送信を受信するかまたはチャネル特性を測定することを試みている受信回路への強い干渉を生じることがある。本開示の態様は、上記で説明した問題に対処するために、基地局またはネットワークによる介入を必要としない、モバイルデバイス自体において動作可能なアルゴリズムを提供する。
【００１６】
[0023]本開示全体にわたって提示する様々な概念は、多種多様な電気通信システム、ネットワークアーキテクチャ、および通信規格にわたって実装され得る。次に図１を参照すると、限定はしないが例示的な例として、モバイル用グローバルシステム（ＧＳＭ）システム１００に関して本開示の様々な態様が示されている。ＧＳＭネットワークは、３つの対話ドメイン、コアネットワーク１０４と、無線アクセスネットワーク（ＲＡＮ）（たとえば、ＧＳＭ／ＥＤＧＥ無線アクセスネットワーク（ＧＥＲＡＮ：GSM/EDGE Radio Access Network）１０２）と、ユーザ機器（ＵＥ）１１０とを含む。この例では、図示されたＧＥＲＡＮ１０２は、電話、ビデオ、データ、メッセージング、ブロードキャストを含む様々なワイヤレスサービス、および／または他のサービスを可能にするためのＧＳＭエアインターフェースを採用し得る。ＧＥＲＡＮ１０２は、基地局コントローラ（ＢＳＣ：Base Station Controller）１０６などのそれぞれのＢＳＣによって各々が制御される、無線ネットワークサブシステム（ＲＮＳ：Radio Network Subsystem）１０７などの複数のＲＮＳを含み得る。ここで、ＧＥＲＡＮ１０２は、図示されたＢＳＣ１０６およびＲＮＳ１０７に加えて、任意の数のＢＳＣ１０６およびＲＮＳ１０７を含み得る。ＢＳＣ１０６は、特に、ＲＮＳ１０７内で無線リソースを割り当て、再構成し、解放することを担当する装置である。
【００１７】
[0024]ＲＮＳ１０７によってカバーされる地理的領域は、いくつかのセルに分割され得、無線トランシーバ装置が各セルをサービスし得る。無線トランシーバ装置は、ＧＳＭ適用例では一般に基地トランシーバ局（ＢＴＳ：base transceiver station）と呼ばれるが、当業者によって、基地局（ＢＳ）、ノードＢ、無線基地局、無線トランシーバ、トランシーバ機能、基本サービスセット（ＢＳＳ：basic service set）、拡張サービスセット（ＥＳＳ：extended service set）、アクセスポイント（ＡＰ）、または何らかの他の好適な用語でも呼ばれることがある。明快のために、図示されたＲＮＳ１０７中に３つのＢＴＳ１０８が示されているが、ＲＮＳ１０７は任意の数のワイヤレスＢＴＳ１０８を含み得る。ＢＴＳ１０８は、任意の数のモバイル装置にＧＰＲＳコアネットワーク１０４へのワイヤレスアクセスポイントを与える。モバイル装置の例には、セルラー電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、または任意の他の同様の機能デバイスがある。モバイル装置は、ＧＳＭ適用例では一般にユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語でも呼ばれることがある。
【００１８】
[0025]ＧＳＭ「Ｕｍ」エアインターフェースは、概してＧＭＳＫ変調を利用し（とはいえ、以下で説明する、ＥＧＰＲＳなどの後の拡張は、８ＰＳＫなどの他の変調を利用し得る）、周波数ホッピングスペクトラム拡散送信を、フレームを８つのタイムスロットに分割する時分割多元接続（ＴＤＭＡ）と組み合わせる。さらに、周波数分割複信（ＦＤＤ）が、ダウンリンクのために使用されるキャリア周波数とは異なるキャリア周波数をアップリンクのために使用してアップリンク送信とダウンリンク送信とを分割する。本明細書で説明する様々な例は、ＧＳＭ  Ｕｍエアインターフェースに言及することがあるが、基礎をなす原理は、任意の他の好適なエアインターフェースに等しく適用可能であることを、当業者は認識されよう。
【００１９】
[0026]本開示のいくつかの態様では、ＧＳＭシステム１００は、さらに拡張ＧＰＲＳ（ＥＧＰＲＳ：enhanced GPRS）のために構成され得る。ＥＧＰＲＳは、２Ｇ  ＧＳＭ技術において利用可能なデータレートを超えた増加したデータレートを与える、ＧＳＭ技術の拡張である。ＥＧＰＲＳは、当分野においてＧＳＭ進化型高速データレート（ＥＤＧＥ）、およびＩＭＴシングルキャリアとしても知られている。
【００２０】
[0027]ＥＧＰＲＳでは、ＵＥ１１０とＢＴＳ１０８との間に物理接続が確立されるとき、この接続は一時ブロックフロー（ＴＢＦ：temporary block flow）と呼ばれ、ＧＥＲＡＮはＥＧＰＲＳ  ＴＢＦモードで動作すると言われる。概して、ＴＢＦは、１つまたは複数のパケット専用チャネル（ＰＤＣＨ：packet dedicated channel）上で無線リソースを割り振られ、１つまたは複数のＬＬＣプロトコルデータユニット（ＰＤＵ：protocol data unit）を搬送するいくつかのＲＬＣ／ＭＡＣブロックを含む。ＴＢＦは一時的であり、データ転送の持続時間の間のみ維持される。
【００２１】
[0028]ＥＧＰＲＳシステムに関して以下で特定の例が与えられる。ただし、本開示の様々な態様で開示する概念は、限定はしないが、ＴＤ−ＳＣＤＭＡエアインターフェースを使用するＵＭＴＳシステム、またはＴＤ−ＬＴＥエアインターフェースを使用するｅ−ＵＴＲＡシステムなど、任意の時分割ベースシステムに適用され得る。特に（以下でさらに詳細に説明する）マルチＳＩＭの例では、複数のサブスクリプションは、これらのシステムのうちの任意の１つまたは複数の上にあり得る。
【００２２】
[0029]すなわち、本開示のいくつかの態様では、ＵＥ１１０は、１つまたは複数のユニバーサル加入者識別モジュール（ＵＳＩＭ：universal subscriber identity module）アプリケーションを各々が動作し得る、複数のユニバーサル集積回路カード（ＵＩＣＣ：universal integrated circuit card）を含み得る。ＵＳＩＭは、加入者の識別情報を記憶し、ネットワークにユーザのサブスクリプション情報を与え、ならびに他のセキュリティおよび認証役割を実施する。図示されたＵＥ１１０は、２つのＵＳＩＭ１１１Ａおよび１１１Ｂを含むが、これは本質的に例示にすぎず、ＵＥは任意の好適な数のＵＳＩＭを含み得ることを当業者は理解されよう。ＵＥ１１０などのＵＥは、ＵＥが、並行してまたは同時に２つの接続（またはサブスクリプション）上でアクティブであることが可能であるような複数のトランシーバを有し得る。このようにして、複数のネットワークまたはサブスクリプション上で単一のデバイスとの接続または呼が同時に確立され得る。トランシーバは同時動作中にいくつかの動作状態で動作させられ得る。たとえば、動作状態は、アイドル状態、回線交換（ＣＳ：circuit-switched）接続状態、パケット交換（ＰＳ：packet-switched）接続状態、および二重転送モード（ＤＴＭ：dual transfer mode）接続状態を含む。［発明者：ＤＴＭ接続状態について手短に説明してください。
【００２３】
[0030]説明のために、図１には、２つのＢＴＳ１０８と通信している１つのＵＥ１１０が示されている。順方向リンクとも呼ばれるダウンリンク（ＤＬ）はＢＴＳ１０８からＵＥ１１０への通信リンクを指し、逆方向リンクとも呼ばれるアップリンク（ＵＬ）はＵＥ１１０からＢＴＳ１０８への通信リンクを指す。
【００２４】
[0031]コアネットワーク１０４は、ＧＥＲＡＮ１０２などの１つまたは複数のアクセスネットワークとインターフェースすることができる。図示のように、コアネットワーク１０４はＧＳＭコアネットワークである。ただし、当業者なら認識するように、本開示全体にわたって提示する様々な概念は、ＧＳＭネットワーク以外のタイプのコアネットワークへのアクセスをＵＥに与えるために、ＲＡＮ、または他の好適なアクセスネットワークにおいて実装され得る。
【００２５】
[0032]図示されたＧＳＭコアネットワーク１０４は回線交換（ＣＳ）ドメインとパケット交換（ＰＳ）ドメインとを含む。回線交換要素のいくつかは、モバイルサービス交換センター（ＭＳＣ：Mobile services Switching Centre）、ビジターロケーションレジスタ（ＶＬＲ：Visitor Location Register）、およびゲートウェイＭＳＣ（ＧＭＳＣ：Gateway MSC）である。パケット交換要素は、サービングＧＰＲＳサポートノード（ＳＧＳＮ：Serving GPRS Support Node）と、ゲートウェイＧＰＲＳサポートノード（ＧＧＳＮ：Gateway GPRS Support Node）とを含む。ＥＩＲ、ＨＬＲ、ＶＬＲおよびＡｕＣのような、いくつかのネットワーク要素は、回線交換ドメインとパケット交換ドメインの両方によって共有され得る。
【００２６】
[0033]図示された例では、コアネットワーク１０４は、ＭＳＣ１１２およびＧＭＳＣ１１４とともに回線交換サービスをサポートする。いくつかの適用例では、ＧＭＳＣ１１４は、メディアゲートウェイ（ＭＧＷ）と呼ばれることがある。ＢＳＣ１０６などの１つまたは複数のＢＳＣはＭＳＣ１１２に接続され得る。ＭＳＣ１１２は、呼設定機能と、呼ルーティング機能と、ＵＥモビリティ機能とを制御する装置である。ＭＳＣ１１２はまた、ＵＥがＭＳＣ１１２のカバレージエリア中にある持続時間の間の加入者関係情報を含んでいるビジターロケーションレジスタ（ＶＬＲ：visitor location register）を含む。ＧＭＳＣ１１４は、ＵＥが回線交換ネットワーク１１６にアクセスするために、ＭＳＣ１１２を介したゲートウェイを与える。ＧＭＳＣ１１４は、特定のユーザが加入したサービスの詳細を反映するデータなどの加入者データを含んでいるホームロケーションレジスタ（ＨＬＲ：home location register）１１５を含む。また、ＨＬＲは、加入者固有の認証データを含んでいる認証センター（ＡｕＣ：authentication center）に関連付けられる。特定のＵＥのための呼が受信されると、ＧＭＳＣ１１４は、ＨＬＲ１１５に問い合わせてＵＥのロケーションを判断し、そのロケーションをサービスする特定のＭＳＣに呼をフォワーディングする。
【００２７】
[0034]図示されたコアネットワーク１０４は、サービングＧＰＲＳサポートノード（ＳＧＳＮ）１１８およびゲートウェイＧＰＲＳサポートノード（ＧＧＳＮ）１２０とともにパケット交換データサービスをもサポートする。汎用パケット無線サービス（ＧＰＲＳ：General Packet Radio Service）は、標準の回線交換データサービスで利用可能な速度よりも速い速度で、パケットデータサービスを提供するように設計されている。ＧＧＳＮ１２０は、パケットベースネットワーク１２２へのＧＥＲＡＮ１０２のための接続を与える。パケットベースネットワーク１２２は、インターネット、プライベートデータネットワーク、または何らかの他の好適なパケットベースネットワークであり得る。ＧＧＳＮ１２０の主要機能は、ＵＥ１１０にパケットベースネットワーク接続性を与えることである。データパケットは、ＳＧＳＮ１１８を通してＧＧＳＮ１２０とＵＥ１１０との間で転送され得、ＳＧＳＮ１１８は、主に、ＭＳＣ１１２が回線交換ドメインで実施するのと同じ機能をパケットベースドメインで実施する。
【００２８】
[0035]上記で説明したように、図示されたＵＥ１１０は、ＧＳＭネットワーク１００およびまたは他のネットワーク上の２つまたはそれ以上の同時接続を維持することが可能な２つまたはそれ以上のトランシーバを有するデバイスである。本開示の範囲内で、ＵＥは、２つまたはそれ以上の異なる無線アクセス技術ネットワーク（ＲＡＴ：radio access technology network）上で２つまたはそれ以上の接続を同時に維持するためにトランシーバを利用し得る。ここで、そのようなＵＥは、ＧＳＭネットワーク、ＵＭＴＳネットワーク、ＬＴＥネットワーク、ｃｄｍａ２０００ネットワーク、Ｗｉ−ＭＡＸネットワーク、または任意の他の好適なＲＡＴのうちの１つまたは複数の上で１つまたは複数のサブスクリプションを維持し得る。
【００２９】
[0036]ＵＥ１１０が、複数の独立したアクティブ接続を用いて同時に１つまたは複数のアクセスネットワークにアクセスするために使用されるとき、総送信電力は、バッテリーまたはデバイスの電圧ドループおよびまたは誤動作につながる私の安全な電流制限またはしきい値を超え得る。さらに、同時接続はデセンス問題を生じ得る。
【００３０】
[0037]ＧＥＲＡＮ１０２は、本開示に従って利用され得るＲＡＮの一例である。図２を参照すると、例として、および限定はしないが、ＧＥＲＡＮアーキテクチャにおけるＲＡＮ２００の簡略化された概略図が示されている。システムは、１つまたは複数のセクタを各々が含み得る、セル２０２、２０４、および２０６を含む、複数のセルラー領域（セル）を含む。セルは、たとえば、カバレージエリアによって、地理的に定義され得る。セクタに分割されたセルにおいて、セル内の複数のセクタはアンテナのグループによって形成され得、各アンテナは、セルの一部分におけるＵＥとの通信を担当する。たとえば、セル２０２において、アンテナグループ２１２、２１４、および２１６は各々異なるセクタに対応し得る。セル２０４において、アンテナグループ２１８、２２０、および２２２は各々異なるセクタに対応し得る。セル２０６において、アンテナグループ２２４、２２６、および２２８は各々異なるセクタに対応し得る。
【００３１】
[0038]セル２０２、２０４、および２０６は、各セル２０２、２０４、または２０６の１つまたは複数のセクタと通信していることがあるいくつかのＵＥを含み得る。たとえば、ＵＥ２３０および２３２はＢＴＳ２４２と通信していることがあり、ＵＥ２３４および２３６はＢＴＳ２４４と通信していることがあり、ＵＥ２３８および２４０はＢＴＳ２４６と通信していることがある。ここで、各ＢＴＳ２４２、２４４、および２４６は、それぞれのセル２０２、２０４、および２０６内のすべてのＵＥ２３０、２３２、２３４、２３６、２３８、および２４０にコアネットワーク（たとえば、図１中の１０４）へのアクセスポイントを与えるように構成され得る。
【００３２】
[0039]一態様では、ＵＥ２３６（たとえば、ＵＥ１１０）は、ＵＥが異なるセルまたはサブスクリプションに同時に接続され得るように複数のトランシーバを有し得る。
【００３３】
[0040]図３は、処理システム３１４を採用する装置（たとえば、ＵＥ１１０または移動局）のためのハードウェア実装形態の一例を示すブロック図である。本開示の様々な態様によれば、要素、または要素の任意の部分、または要素の任意の組合せは、１つまたは複数のプロセッサ３０４を含む処理システム３１４を用いて実装され得る。プロセッサ３０４の例には、マイクロプロセッサ、マイクロコントローラ、デジタル信号プロセッサ（ＤＳＰ：digital signal processor）、フィールドプログラマブルゲートアレイ（ＦＰＧＡ：field programmable gate array）、プログラマブル論理デバイス（ＰＬＤ：programmable logic device）、状態機械、ゲート論理、個別ハードウェア回路、および本開示全体にわたって説明する様々な機能を実行するように構成された他の好適なハードウェアがある。
【００３４】
[0041]この例では、処理システム３１４は、バス３０２によって概略的に表されるバスアーキテクチャを用いて実装され得る。バス３０２は、処理システム３１４の特定の適用例および全体的な設計制約に応じて、任意の数の相互接続バスおよびブリッジを含み得る。バス３０２は、（プロセッサ３０４によって概略的に表される）１つまたは複数のプロセッサと、メモリ３０５と、（コンピュータ可読媒体３０６によって概略的に表される）コンピュータ可読媒体と、１つまたは複数のＳＩＭ（たとえば、ＵＳＩＭ１１１Ａおよび１１１Ｂ）とを含む様々な回路または構成要素を互いにリンクする。バス３０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース３０８は、バス３０２と複数のトランシーバ（たとえば、３１０Ａおよび３１０Ｂ）との間のインターフェースを与える。トランシーバは、伝送媒体を介して様々な他の装置と通信するための手段を与える。ＵＥ１１０はまた、ＵＥのトランシーバ３１０Ａおよび３１０Ｂなどの様々な構成要素に電力供給するためのバッテリー３０９を含む。
【００３５】
[0042]いくつかの例では、ＵＥ１１０は２つのＵＳＩＭ１１１Ａおよび１１１Ｂを含むが、各ＵＳＩＭは、トランシーバ３１０Ａおよび３１０Ｂのうちの対応する１つを使用して異なるサブスクリプションまたはネットワークにアクセスし得る。すなわち、ＵＥ１１０は２つの同時接続を維持し得る。しかしながら、本明細書で説明する広義の概念はまた、複数のＳＩＭを用いるまたは用いないより多くのトランシーバを有するデバイスに適用可能であり得る。
【００３６】
[0043]装置の性質に応じて、ユーザインターフェース３１２（たとえば、キーパッド、ディスプレイ、スピーカー、マイクロフォン、ジョイスティック）も与えられ得る。プロセッサ３０４は、バス３０２を管理することと、コンピュータ可読媒体３０６に記憶されたソフトウェア３１４の実行を含む一般的な処理とを担当する。ソフトウェア３１４は、プロセッサ３０４によって実行されたとき、処理システム３１４に、特定の装置のための以下で説明する様々な機能を実行させる。たとえば、ソフトウェア３１４は、同時送信中にバッテリー３０９の電圧ドループを緩和するためのコードを含み得る。コンピュータ可読媒体３０６はまた、ソフトウェアを実行するときにプロセッサ３０４によって操作されるデータを記憶するために使用され得る。
【００３７】
[0044]処理システム中の１つまたは複数のプロセッサ３０４はソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体３０６上に常駐し得る。コンピュータ可読媒体３０６は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体３０６は、処理システム３１４中に常駐するか、処理システム３１４の外部にあるか、または処理システム３１４を含む複数のエンティティにわたって分散され得る。コンピュータ可読媒体３０６はコンピュータプログラム製品において実施され得る。例として、コンピュータプログラム製品はパッケージング材料中にコンピュータ可読媒体を含み得る。特定の適用例および全体的なシステムに課せられた全体的な設計制約に応じて、本開示全体にわたって提示される記載の機能をどのようにしたら最も良く実装することができるかを当業者は認識されよう。
【００３８】
[0045]ＵＥ１１０が、限定はしないが、２つの異なるネットワーク、または同じネットワーク内の２つの異なるサブスクリプション、またはセルラーネットワーク中の２つのセルと接続することを含む、２つの異なる通信アクティビティを同時にまたは並行して実行することを望むことは事実であり得る。ＵＥ１１０が、これらの進行中の通信アクティビティ（たとえば、ＣＳボイス呼）のうちの１つに関与し続けながら、ページングメッセージを受信すること、ＳＭＳメッセージングを実行すること、あるいは異なるサブスクリプション／接続上でまたは異なるセルから他の情報を受信／監視することなど、別の通信アクティビティを同時に実行することが可能にされることは、特に有益であろう。
【００３９】
[0046]図４は、電圧ドループおよびデセンスが生じ得るシナリオを示す図である。この場合、ＵＥ（たとえば、ＵＥ１１０）は、２つの独立した接続４０２および４０４（サブスクリプション）上で同時にまたは並行して送信するために、２つのトランシーバ（たとえば、トランシーバ３１０Ａおよび３１０Ｂ）を利用し得る。事例１では、スロットを送信することは時間的に少なくとも部分的に重複し、Ｔｘ／Ｔｘクラッシュ４０６を生じる。この場合、両方のトランシーバが同時に送信しているとき、バッテリー３０９から引き出される電流の量は電圧ドループおよび／またはデバイス過熱を生じ得る。さらに、同時送信は、いくつかの条件下でユーザによって吸収されている望ましくない量の無線周波エネルギー（すなわち、高いＳＡＲ）を生じ得る。
【００４０】
[0047]事例２では、ＵＥは、第１の接続４０２上で送信するために１つのトランシーバ（たとえば、トランシーバ３１０Ａ）を利用し、第２の接続４０４上で受信するために別のトランシーバ（たとえば、トランシーバ３１０Ｂ）を利用し得る。この場合、送信スロットと受信スロットとは、時間的に少なくとも部分的に重複し、Ｔｘ／Ｒｘクラッシュ４０８を生じる。この場合、送信スロットは受信スロットにおいてデセンスを生じ得る。事例３では、ＵＥは、第１の接続４０２上で送信するために１つのトランシーバ（たとえば、トランシーバ３１０Ａ）を利用し、第２の接続４０４を監視するために別のトランシーバ（たとえば、トランシーバ３１０Ｂ）を利用し得る。この場合、送信スロットと監視スロットＭとは、時間的に少なくとも部分的に重複し、別のタイプのＴｘ／Ｒｘクラッシュ４１０を生じる。このクラッシュを緩和するために、たとえば、監視スロットＭは、スロット４１２、４１４、または４１６など、別のスロットに動かされ得る。
【００４１】
[0048]したがって、本開示の様々な態様は、電圧ドループ、望ましくないＳＡＲ、過熱、およびデセンスなどの問題を解決するために、基地局またはネットワークによる介入を必要としない、モバイルデバイス自体において動作可能なアルゴリズムを提供する。２つまたはそれ以上の送信が時間的に重複するようにスケジュールされるときに生じることがあるこれらの問題に対処するために、この重複を防止するかまたはバッテリー電圧に対するそれの影響を低減しようとして一方または両方の送信機上のいくつかの送信が変更され得る。同様に、デセンス問題に対処するために、上記で説明した干渉問題を低減するかまたはなくすために送信動作または受信動作の一方が変更され得る。
【００４２】
[0049]電圧ドループ、ＳＡＲ、および過熱問題に対処するために、本開示のいくつかの態様によれば、１つまたは複数の送信への変更は次の３つの形態のうちの１つを取り得る。１）他の送信と重複しないように送信を時間的にシフトし、２）一方または他方の送信を送信することを控え、３）電圧ドループ、ＳＡＲ、または過熱を低減または緩和するために１つまたは複数の送信の電力をバックオフする。図５は、本開示の一態様による、電圧ドループとＳＡＲと過熱とを緩和するためのプロセスを概念的に示すフローチャート５００である。ブロック５０２において、ＵＥ（たとえば、ＵＥ１１０）は、第２のトランシーバ（たとえば、トランシーバ３１０Ｂ）が第２の送信を使用して通信するようにスケジュールされることと同時に、トランシーバ（たとえば、トランシーバ３１０Ａ）が第１の送信を使用して通信するようにスケジュールされると決定する。次いで、ブロック５０４において、ＵＥ１１０は、トランシーバの同時送信によるバッテリー（たとえば、バッテリー３０９）のバッテリー電圧ドループとＳＡＲと過熱とを緩和するために第１のトランシーバまたは第２のトランシーバのうちの少なくとも１つの動作を変更する。
【００４３】
[0050]同時送信のためにスケジュールされた２つまたはそれ以上の送信のうちのどの送信が、変更すべきより良い送信であるかを決定するために、ＵＥ１１０は、最初に、どの送信がより好ましいか、または他の送信よりも高い優先度を有するかを決定する。送信の選好または優先度は、次のような１つまたは複数のファクタに依存することができる。１）ユーザがどの接続を最も重要なものとして指定するか、２）どの送信が、接続を維持するのに必要であるか（たとえば、ネットワークトリガハンドオーバの後のハンドオーバアクセスバースト、ＳＤＣＣＨブロックなど）、３）どの送信が遅延され得るか、または４）どの送信が、対応するアクティブ接続またはサービスへの影響なしに廃棄され得るか（たとえば、何らかのボイスパケット、コンフォートノイズパケットなど）。決定が行われると、一方または他方の送信が変更され得る。いくつかの例では、両方の送信が変更され得る。
【００４４】
[0051]本開示の態様を示すために、動作例として、２つの同時ＧＳＭ接続（たとえば、接続４０２および４０４）をもつＵＥ（たとえば、ＵＥ１１０）が使用される。接続は、アイドル接続、回線交換（ＣＳ）接続、またはパケット交換（ＰＳ）接続であり得る。アイドル状態では、ＵＥ１１０は、時々受信し、送信しない。ユーザが電話をかけることを望む場合、ランダムアクセスチャネル（ＲＡＣＨ：random access channel）上で送信することによってアクセス試行が開始され得る。ＣＳ接続の場合、ＵＥ１１０は、トラフィックチャネル（ＴＣＨ：traffic channel）、低速付随制御チャネル（ＳＡＣＣＨ：slow associated control channel）、スタンドアロン専用制御チャネル（ＳＤＣＣＨ：standalone dedicated control channel）、または高速付随制御チャネル（ＦＡＣＣＨ：fast associated control channel）上で送信し得る。ＰＳ接続の場合、ＵＥ１１０は、パケットデータチャネル（ＰＤＣＨ：packet data channel）、パケット付随制御チャネル（ＰＡＣＣＨ：packet associated control channel）、またはＲＬＣ／ＭＡＣブロックヘッダの相対予約ブロック期間（ＲＲＢＰ：relative reserve block period）フィールド上で送信し得る。
【００４５】
[0052]図６は、本開示の一態様による、バッテリー電圧ドループとＳＡＲと過熱とを緩和するために、同時送信のためにスケジュールされた２つの送信のうちの一方を変更すべきであるのか両方を変更すべきであるのかを決定するための電力制御行列を示す表である。図６を参照すると、表の左側には、第１の送信機（たとえば、第１のサブスクリプション上のトランシーバ３１０Ａ）についての状態およびチャネルが示されており、上部には、第２の送信機（たとえば、第２のサブスクリプション上のトランシーバ３１０Ｂ）についての状態およびチャネルが示されている。上記で説明したファクタに基づいて、この行列は、変更すべき送信の一方または両方の選択がどのように決定されるかの一例を示しており、行うべき具体的な変更が示されている。したがって、電圧ドループ、ＳＡＲ、および過熱などの潜在的問題が同時接続の瞬間ごとに防止または低減され得る。
【００４６】
[0053]図６において、「バックオフ」は、指定された送信チャネルの送信電力を低減することを意味する。たとえば、「ＲＡＣＨをバックオフすること」は、ＲＡＣＨを利用する送信機の送信電力を低減することを意味する。行列中のＲＡＣＨはハンドオーバアクセスバーストとチャネル要求バーストの両方をカバーする。図６において、「遅延」は、指定された送信チャネルの送信の時間を遅延させるかまたはシフトすることを意味する。事例６０２では、制御ブロックの部分送信（たとえば、わずか２つのバースト）を展開することが可能である。事例６０４では、好ましい送信を決定するために、好適な優先度機構が利用され得る。たとえば、同時送信が両方ともＳＡＡＣＨ／ＳＤＣＣＨを利用するとき、より高い優先度の送信（サブスクリプション）が最初にそれのＳＡＣＣＨ／ＳＤＣＣＨバーストを送信するようになる。図６の行列において、「バックアップオフなし」が示されている事例の場合、いくつかの態様では、３ＧＰＰ  ＴＳ４５．００５において定義されている制限内でバックオフすることが依然として可能である。事例６０６では、同時送信が両方ともＴＣＨを利用するとき、一方が保持する呼とのサブスクリプションにバックオフが適用される。
【００４７】
[0054]デセンス問題に対処するために、上記で説明した干渉問題を低減するかまたはなくすために送信動作または受信動作の一方が変更され得る。一方または他方の接続への変更は次の２つの形態のうちの１つを取ることができる。１）受信と重複しないように送信を時間的にシフトするかまたは遅延させ、２）送信を送信することを控える。
【００４８】
[0055]図７は、一態様による、同時接続のためにスケジュールされる送信と受信とのうちのどちらか一方を変更すべきであるのか両方を変更すべきであるのかを決定するための電力制御行列７００を示す表である。すなわち、同時接続（送信／受信）の瞬間ごとに図７の行列を使用して好ましい接続またはトランシーバが決定され得る。図７の行列では、左の列は、トランシーバ（たとえば、トランシーバ３１０Ａ）が、受信するために利用し得る状態およびチャネルを示しており、上の列は、トランシーバ（たとえば、トランシーバ３１０Ｂ）が、送信するために利用し得る状態およびチャネルを示している。行列の交差のうちのいくつかにおいて、１つの特定のアクションが選定される。たとえば、いくつかの交差において、一方のトランシーバがＴＣＨ／ＦＡＣＣＨ上で受信しているが、他方のトランシーバがＴＣＨ上で送信しているときなど、優先度はアクティブなサブスクリプションに与えられる。この行列は、好ましいトランシーバが同時接続のインスタンスごとに複数のファクタに基づいて決定され得、同時接続によって生じる望ましくないデセンスを緩和するために、トランシーバの動作が変更される一例を示している。
【００４９】
[0056]事例７０２では、制御ブロックの部分送信（たとえば、わずか２つのバースト）を展開することが可能である。事例７０４では、送信は、厳しいデセンスの場合のみキャンセルされる。図７では、行列中のＲＡＣＨはハンドオーバアクセスバーストとチャネル要求バーストの両方をカバーする。上記の例は、ＧＳＭネットワークにおいて動作可能なＵＥ１１０を使用して示されている。しかしながら、本開示は、そのようなものとして制限されず、例はＵＭＴＳネットワークなどの他のネットワーク中で実装され得る。
【００５０】
[0057]本開示の態様はまた、同時送信（重複スロット）中のバッテリー電圧ドループとＳＡＲと過熱とを緩和するためのバックオフアルゴリズムを提供する。ＵＥ（たとえば、ＵＥ１１０）は、スロットごとの最大瞬時送信電力を所定の送信電力バジェットに制限するように構成され得る。たとえば、２つのトランシーバ（たとえば、トランシーバ３１０Ａおよび３１０Ｂ）の合成送信電力は、同時送信中のバッテリー電圧ドループとＳＡＲと過熱とを回避または低減するために最大３３ｄＢｍに制限され得る。いくつかの態様では、ＵＥは、トランシーバのそれぞれの送信電力、優先度、および電力バジェットなどのファクタの数に基づいてトランシーバに電力を配分するかまたは割り振ることによって電力バックオフを実行するための好適なアルゴリズムを含み得る。
【００５１】
[0058]図８は、本開示の一態様による、２つのトランシーバ（たとえば、トランシーバ３１０Ａおよび３１０Ｂ）を有するＵＥ１１０において電力バックオフを実行するためのアルゴリズムを示すフローチャート８００である。図８を参照すると、ＵＥ１１０は、トランシーバが、それぞれ、第１および第２のサブスクリプション上の２つのトランシーバを使用して同時にまたは並行して送信するようにスケジュールされると決定する。ブロック８０２において、第１のサブスクリプションに対応するトランシーバの送信電力（ＴｘＰ＿Ｓｕｂ１）を決定し、第２のサブスクリプションに対応するトランシーバの送信電力（ＴｘＰ＿Ｓｕｂ２）をも決定する。さらに、送信電力バジェットＴｘＰ＿Ｂをも決定する。ブロック８０４において、ＴｘＰ＿Ｓｕｂ１とＴｘＰ＿Ｓｕｂ２との間の電力の差（ＴｘＰ＿Ｄｉｆｆ）を決定する。ブロック８０６において、送信間の時間の重複がしきい値（たとえば、タイムスロットの１／４）よりも大きいか否かを決定する。重複がしきい値よりも小さい場合、アルゴリズムはブロック８０８に続く。重複がしきい値よりも大きい場合、アルゴリズムはブロック８１０に続く。
【００５２】
[0059]ブロック８０８において、バックオフは実行されない。すなわち、送信電力ＴｘＰ＿Ｓｕｂ１およびＴｘＰ＿Ｓｕｂ１の変更はない。ブロック８１０において、ＴｘＰ＿Ｓｕｂ１とＴｘＰ＿Ｓｕｂ２と、ＴｘＰ＿Ｄｉｆｆを使用してインデックス付けされた好適なルックアップテーブルとに基づいて総送信電力ＴｘＰ＿ｔｏｔａｌを決定する。ブロック８１２において、ＴｘＰ＿ｔｏｔａｌがＴｘＰ＿Ｂよりも大きいか否かを決定する。ＴｘＰ＿ＴｏｔａｌがＴｘＰ＿Ｂよりも大きくない場合、プロセスはブロック８１４に続く。ＴｘＰ＿ＴｏｔａｌがＴｘＰ＿Ｂよりも大きい場合、プロセスはブロック８１６に続く。ブロック８１４において、バックオフは実行されない。すなわち、送信電力ＴｘＰ＿Ｓｕｂ１およびＴｘＰ＿Ｓｕｂ２の変更はない。ブロック８１６において、送信（第１および第２のサブスクリプション）の相対的優先度を決定する。送信が同じ優先度を有する場合、アルゴリズムはブロック８１８に続く。送信が異なる優先度を有する場合、アルゴリズムはブロック８２０に続く。ブロック８１８において、両方の送信に同じ量のバックオフを適用する。一態様では、バックオフの量は、ＴｘＰ＿ｔｏｔａｌとＴｘＰ＿Ｂとの間の差に等しくなり得る。ブロック８２０において、送信の優先度と利用可能な電力バジェットＴｘＰ＿Ｂと他の好適なファクタとに基づいて、ＴｘＰ＿Ｓｕｂ１とＴｘＰ＿Ｓｕｂ２との最終値を調整する。
【００５３】
[0060]一構成では、ワイヤレス通信のためのＵＥ（たとえば、ＵＥ１１０）は、第２のトランシーバが第２の接続を使用して通信するようにスケジュールされることと同時に、第１のトランシーバが第１の接続を使用して通信するようにスケジュールされると決定するための手段と、トランシーバの同時接続による好ましいトランシーバに対する干渉を緩和するために第１のトランシーバと第２のトランシーバとのうちの少なくとも１つの動作を変更するための手段とを含む。一態様では、上述の手段は、上述の手段によって具陳される機能を実行するように構成された、図３からの本発明が常駐する（１つまたは複数の）プロセッサ３０４であり得る。別の態様では、上述の手段は、上述の手段によって具陳される機能を実行するように構成されたモジュールまたは任意の装置であり得る。
【００５４】
[0061]ＧＥＲＡＮシステムに関して電気通信システムのいくつかの態様を提示した。当業者なら容易に諒解するように、本開示全体にわたって説明した様々な態様は、他の電気通信システム、ネットワークアーキテクチャおよび通信規格に拡張され得る。
【００５５】
[0062]例として、様々な態様は、Ｗ−ＣＤＭＡ、ＴＤ−ＳＣＤＭＡおよびＴＤ−ＣＤＭＡなどのＵＭＴＳシステムに拡張され得る。様々な態様はまた、（ＦＤＤ、ＴＤＤ、または両モードでの）ロングタームエボリューション（ＬＴＥ：Long Term Evolution）、（ＦＤＤ、ＴＤＤ、または両モードでの）ＬＴＥアドバンスト（ＬＴＥ−Ａ：LTE-Advanced）、ＣＤＭＡ２０００、エボリューションデータオプティマイズド（ＥＶ−ＤＯ：Evolution-Data Optimized）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、ウルトラワイドバンド（ＵＷＢ：Ultra-Wideband）、Ｂｌｕｅｔｏｏｔｈ（登録商標）、および／または他の好適なシステムを採用するシステムに拡張され得る。採用される実際の電気通信規格、ネットワークアーキテクチャ、および／または通信規格は、特定の適用例およびシステムに課せられた全体的な設計制約に依存することになる。
【００５６】
[0063]開示した方法中のステップの特定の順序または階層は、例示的なプロセスの一例であることを理解されたい。設計上の選好に基づいて、本方法中のステップの特定の順序または階層は並べ替えられ得ることを理解されたい。添付の方法クレームは、様々なステップの要素を例示的な順序で提示したものであり、本明細書中で特に記載されない限り、提示された特定の順序または階層に限定されるものではない。
【００５７】
[0064]以上の説明は、当業者が本明細書で説明した様々な態様を実施できるようにするために提供したものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
【図１】
2016509413.tif 000003
【図２】
2016509413.tif 000004
【図３】
2016509413.tif 000005
【図４】
2016509413.tif 000006
【図５】
2016509413.tif 000007
【図６】
2016509413.tif 000008
【図７】
2016509413.tif 000009
【図８】
2016509413.tif 000010
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
バッテリーと、第１のトランシーバと第２のトランシーバとを備えるユーザ機器（ＵＥ）を使用するワイヤレス通信の方法であって、
前記第２のトランシーバが第２の送信を使用して通信するようにスケジュールされることと同時に、前記第１のトランシーバが第１の送信を使用して通信するようにスケジュールされると決定することと、
前記第１のトランシーバと前記第２のトランシーバとのうちの少なくとも１つの動作を変更することによって前記第１のトランシーバと前記第２のトランシーバとのスケジュールされる同時送信による前記バッテリーの電圧ドループを緩和することとを備える、方法。
【請求項２】
前記第１のトランシーバと前記第２のトランシーバとのうちの少なくとも１つの前記動作を前記変更することが、同時送信による比吸収率を低減するために前記トランシーバのうちの少なくとも１つの送信を控えることを備える、請求項１に記載の方法。
【請求項３】
前記第１のトランシーバと前記第２のトランシーバとのうちの少なくとも１つの前記動作を前記変更することが、同時送信による前記ＵＥの過熱を緩和するために前記トランシーバのうちの少なくとも１つの送信を控えることを備える、請求項１に記載の方法。
【請求項４】
前記第１のトランシーバと前記第２のトランシーバとのうちの少なくとも１つの前記動作を前記変更することが、前記送信の電力を低減するために、前記送信を時間的にシフトするために、または前記送信を控えるために、前記トランシーバのうちの少なくとも１つの送信を変更することを備える、請求項１に記載の方法。
【請求項５】
前記動作が同時送信の瞬間ごとに電力制御行列に基づいて変更されると決定することをさらに備える、請求項１に記載の方法。
【請求項６】
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、請求項５に記載の方法。
【請求項７】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項５に記載の方法。
【請求項８】
前記第１のトランシーバと前記第２のトランシーバとのうちの少なくとも１つの前記動作を前記変更することが、前記第１のトランシーバと前記第２のトランシーバとのそれぞれの送信電力を、電力バジェットを超えないそれらの合成送信電力を制限するように調整することを備える、請求項１に記載の方法。
【請求項９】
それぞれの送信電力を前記調整することが、前記トランシーバのそれぞれの優先度と前記電力バジェットとに基づいて前記トランシーバの前記送信電力を調整することを備える、請求項８に記載の方法。
【請求項１０】
前記トランシーバの前記送信電力を前記調整することが、それらの優先度に基づいて前記トランシーバに前記電力バジェットのそれぞれの部分を割り振ることを備える、請求項９に記載の方法。
【請求項１１】
バッテリーと、
第１のトランシーバおよび第２のトランシーバと、
前記第２のトランシーバが第２の接続を使用して通信するようにスケジュールされることと同時に、前記第１のトランシーバが第１の接続を使用して通信するようにスケジュールされると決定するための手段と、
前記第１のトランシーバと前記第２のトランシーバとのうちの少なくとも１つの動作を変更することによって前記第１のトランシーバと前記第２のトランシーバとのスケジュールされる同時送信による前記バッテリーの電圧ドループを緩和するための手段とを備える、ワイヤレス通信のための装置。
【請求項１２】
前記動作を変更するための前記手段が、同時送信による比吸収率を低減するために前記トランシーバのうちの少なくとも１つの送信を控えるように構成された、請求項１１に記載の装置。
【請求項１３】
前記動作を変更するための前記手段が、同時送信による前記装置の過熱を緩和するために前記トランシーバのうちの少なくとも１つの送信を控えるように構成された、請求項１１に記載の装置。
【請求項１４】
前記第１のトランシーバと前記第２のトランシーバとのうちの少なくとも１つの前記動作を変更するための前記手段が、前記送信の電力を低減するために、前記送信を時間的にシフトするために、または前記送信を控えるために、前記トランシーバのうちの少なくとも１つの送信を変更するための手段を備える、請求項１１に記載の装置。
【請求項１５】
前記動作が同時送信の瞬間ごとに電力制御行列に基づいて変更されると決定するための手段をさらに備える、請求項１１に記載の装置。
【請求項１６】
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、請求項１５に記載の装置。
【請求項１７】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項１５に記載の装置。
【請求項１８】
前記第１のトランシーバと前記第２のトランシーバとのうちの少なくとも１つの前記動作を変更するための前記手段が、前記第１のトランシーバと前記第２のトランシーバとのそれぞれの送信電力を、電力バジェットを超えないそれらの合成送信電力を制限するように調整するための手段を備える、請求項１１に記載の装置。
【請求項１９】
それぞれの送信電力を調整するための前記手段が、前記トランシーバのそれぞれの優先度と前記電力バジェットとに基づいて前記トランシーバの前記送信電力を調整するための手段を備える、請求項１８に記載の装置。
【請求項２０】
前記トランシーバの前記送信電力を調整するための前記手段が、それらの優先度に基づいて前記トランシーバに前記電力バジェットのそれぞれの部分を割り振るための手段を備える、請求項１９に記載の装置。
【請求項２１】
バッテリーと、第１のトランシーバと第２のトランシーバとを備えるユーザ機器（ＵＥ）に、
前記第２のトランシーバが第２の送信を使用して通信するようにスケジュールされることと同時に、前記第１のトランシーバが第１の送信を使用して通信するようにスケジュールされると決定することと、
前記第１のトランシーバと前記第２のトランシーバとのうちの少なくとも１つの動作を変更することによって前記第１のトランシーバと前記第２のトランシーバとのスケジュールされる同時送信による前記バッテリーの電圧ドループを緩和することとを行わせるためのコードを備えるコンピュータ可読記憶媒体を備える、コンピュータプログラム製品。
【請求項２２】
前記ＵＥに前記動作を変更させるための前記コードが、前記ＵＥに、同時送信による比吸収率を低減するために前記トランシーバのうちの少なくとも１つの送信を控えさせるためのコードを備える、請求項２１に記載のコンピュータプログラム製品。
【請求項２３】
前記ＵＥに前記動作を変更させるための前記コードが、前記ＵＥに、同時送信による前記ＵＥの過熱を緩和するために前記トランシーバのうちの少なくとも１つの送信を控えさせるためのコードを備える、請求項２１に記載のコンピュータプログラム製品。
【請求項２４】
前記ＵＥに前記動作を変更させるための前記コードが、前記ＵＥに、前記送信の電力を低減するために、前記送信を時間的にシフトするために、または前記送信を控えるために、前記トランシーバのうちの少なくとも１つの送信を変更させるためのコードを備える、請求項２１に記載のコンピュータプログラム製品。
【請求項２５】
前記コンピュータ可読記憶媒体は、前記ＵＥに、前記動作が同時送信の瞬間ごとに電力制御行列に基づいて変更されると決定させるためのコードをさらに備える、請求項２１に記載のコンピュータプログラム製品。
【請求項２６】
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、請求項２５に記載のコンピュータプログラム製品。
【請求項２７】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項２５に記載のコンピュータプログラム製品。
【請求項２８】
前記ＵＥに前記動作を変更させるための前記コードが、前記ＵＥに、前記第１のトランシーバと前記第２のトランシーバとのそれぞれの送信電力を、電力バジェットを超えないそれらの合成送信電力を制限するように調整させるためのコードを備える、請求項２１に記載のコンピュータプログラム製品。
【請求項２９】
前記ＵＥにそれぞれの送信電力を調整させるための前記コードが、前記ＵＥに、前記トランシーバのそれぞれの優先度と前記電力バジェットとに基づいて前記トランシーバの前記送信電力を調整させるためのコードを備える、請求項２８に記載のコンピュータプログラム製品。
【請求項３０】
前記ＵＥに前記トランシーバの前記送信電力を調整させるための前記コードが、前記ＵＥに、それらの優先度に基づいて前記トランシーバに前記電力バジェットのそれぞれの部分を割り振らせるためのコードを備える、請求項２９に記載のコンピュータプログラム製品。
【請求項３１】
バッテリーと、
少なくとも１つのプロセッサと、
前記少なくとも１つのプロセッサに両方とも結合された第１のトランシーバと第２のトランシーバとを備える通信インターフェースと、
前記少なくとも１つのプロセッサに結合されたメモリとを備え、
ここにおいて、前記少なくとも１つのプロセッサは、
前記第２のトランシーバが第２の送信を使用して通信するようにスケジュールされることと同時に、前記第１のトランシーバが第１の送信を使用して通信するようにスケジュールされると決定することと、
前記第１のトランシーバと前記第２のトランシーバとのうちの少なくとも１つの動作を変更することによって前記第１のトランシーバと前記第２のトランシーバとのスケジュールされる同時送信による前記バッテリーの電圧ドループを緩和することとを行うように構成された、ワイヤレス通信のための装置。
【請求項３２】
前記少なくとも１つのプロセッサが、同時送信による比吸収率を低減するために前記トランシーバのうちの少なくとも１つの送信を控えるようにさらに構成された、請求項３１に記載の装置。
【請求項３３】
前記少なくとも１つのプロセッサが、同時送信による前記装置の過熱を緩和するために前記トランシーバのうちの少なくとも１つの送信を控えるようにさらに構成された、請求項３１に記載の装置。
【請求項３４】
前記少なくとも１つのプロセッサが、前記送信の電力を低減するために、前記送信を時間的にシフトするために、または前記送信を控えるために、前記トランシーバのうちの少なくとも１つの送信を変更するようにさらに構成された、請求項３１に記載の装置。
【請求項３５】
前記少なくとも１つのプロセッサは、前記動作が同時送信の瞬間ごとに電力制御行列に基づいて変更されると決定するようにさらに構成された、請求項３１に記載の装置。
【請求項３６】
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、請求項３５に記載の装置。
【請求項３７】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項３５に記載の装置。
【請求項３８】
前記少なくとも１つのプロセッサが、前記第１のトランシーバと前記第２のトランシーバとのそれぞれの送信電力を、電力バジェットを超えないそれらの合成送信電力を制限するように調整するようにさらに構成された、請求項３１に記載の装置。
【請求項３９】
前記少なくとも１つのプロセッサが、前記トランシーバのそれぞれの優先度と前記電力バジェットとに基づいて前記トランシーバの前記送信電力を調整するようにさらに構成された、請求項３８に記載の装置。
【請求項４０】
前記少なくとも１つのプロセッサが、それらの優先度に基づいて前記トランシーバに前記電力バジェットのそれぞれの部分を割り振るようにさらに構成された、請求項３９に記載の装置。
【手続補正２】
【補正対象書類名】明細書
【補正対象項目名】００５７
【補正方法】変更
【補正の内容】
【００５７】
[0064]以上の説明は、当業者が本明細書で説明した様々な態様を実施できるようにするために提供したものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
以下に、本願出願の当初の特許請求の範囲に記載された発明を付記する。
［Ｃ１］
第１のトランシーバと第２のトランシーバとを備えるユーザ機器（ＵＥ）を使用するワイヤレス通信の方法であって、
前記第２のトランシーバが第２の送信を使用して通信するようにスケジュールされることと同時に、前記第１のトランシーバが第１の送信を使用して通信するようにスケジュールされると決定することと、
前記トランシーバの同時送信によるバッテリー電圧ドループを緩和するために前記第１のトランシーバと前記第２のトランシーバとのうちの少なくとも１つの動作を変更することとを備える、方法。
［Ｃ２］
前記第１のトランシーバと前記第２のトランシーバとのうちの少なくとも１つの前記動作を前記変更することが、同時送信による比吸収率を低減するために前記トランシーバのうちの少なくとも１つの送信を控えることを備える、Ｃ１に記載の方法。
［Ｃ３］
前記第１のトランシーバと前記第２のトランシーバとのうちの少なくとも１つの前記動作を前記変更することが、同時送信による前記ＵＥの過熱を緩和するために前記トランシーバのうちの少なくとも１つの送信を控えることを備える、Ｃ１に記載の方法。
［Ｃ４］
前記第１のトランシーバと前記第２のトランシーバとのうちの少なくとも１つの前記動作を前記変更することが、前記送信の電力を低減するために、前記送信を時間的にシフトするために、または前記送信を控えるために、前記トランシーバのうちの少なくとも１つの送信を変更することを備える、Ｃ１に記載の方法。
［Ｃ５］
前記動作が同時送信の瞬間ごとに電力制御行列に基づいて変更されると決定することをさらに備える、Ｃ１に記載の方法。
［Ｃ６］
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、Ｃ５に記載の方法。
［Ｃ７］
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、Ｃ５に記載の方法。
［Ｃ８］
前記第１のトランシーバと前記第２のトランシーバとのうちの少なくとも１つの前記動作を前記変更することが、前記第１のトランシーバと前記第２のトランシーバとのそれぞれの送信電力を、電力バジェットを超えないそれらの合成送信電力を制限するように調整することを備える、Ｃ１に記載の方法。
［Ｃ９］
それぞれの送信電力を前記調整することが、前記トランシーバのそれぞれの優先度と前記電力バジェットとに基づいて前記トランシーバの前記送信電力を調整することを備える、Ｃ８に記載の方法。
［Ｃ１０］
前記トランシーバの前記送信電力を前記調整することが、それらの優先度に基づいて前記トランシーバに前記電力バジェットのそれぞれの部分を割り振ることを備える、Ｃ９に記載の方法。
［Ｃ１１］
第１のトランシーバおよび第２のトランシーバと、
前記第２のトランシーバが第２の接続を使用して通信するようにスケジュールされることと同時に、前記第１のトランシーバが第１の接続を使用して通信するようにスケジュールされると決定するための手段と、
前記トランシーバの同時接続によるバッテリー電圧ドループを緩和するために前記第１のトランシーバと前記第２のトランシーバとのうちの少なくとも１つの動作を変更するための手段とを備える、ワイヤレス通信のための装置。
［Ｃ１２］
前記動作を変更するための前記手段が、同時送信による比吸収率を低減するために前記トランシーバのうちの少なくとも１つの送信を控えるように構成された、Ｃ１１に記載の装置。
［Ｃ１３］
前記動作を変更するための前記手段が、同時送信による前記装置の過熱を緩和するために前記トランシーバのうちの少なくとも１つの送信を控えるように構成された、Ｃ１１に記載の装置。
［Ｃ１４］
前記第１のトランシーバと前記第２のトランシーバとのうちの少なくとも１つの前記動作を変更するための前記手段が、前記送信の電力を低減するために、前記送信を時間的にシフトするために、または前記送信を控えるために、前記トランシーバのうちの少なくとも１つの送信を変更するための手段を備える、Ｃ１１に記載の装置。
［Ｃ１５］
前記動作が同時送信の瞬間ごとに電力制御行列に基づいて変更されると決定するための手段をさらに備える、Ｃ１１に記載の装置。
［Ｃ１６］
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、Ｃ１５に記載の装置。
［Ｃ１７］
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、Ｃ１５に記載の装置。
［Ｃ１８］
前記第１のトランシーバと前記第２のトランシーバとのうちの少なくとも１つの前記動作を変更するための前記手段が、前記第１のトランシーバと前記第２のトランシーバとのそれぞれの送信電力を、電力バジェットを超えないそれらの合成送信電力を制限するように調整するための手段を備える、Ｃ１１に記載の装置。
［Ｃ１９］
それぞれの送信電力を前記調整するための前記手段が、前記トランシーバのそれぞれの優先度と前記電力バジェットとに基づいて前記トランシーバの前記送信電力を調整するための手段を備える、Ｃ１８に記載の装置。
［Ｃ２０］
前記トランシーバの前記送信電力を調整するための前記手段が、それらの優先度に基づいて前記トランシーバに前記電力バジェットのそれぞれの部分を割り振るための手段を備える、Ｃ１９に記載の装置。
［Ｃ２１］
第１のトランシーバと第２のトランシーバとを備えるユーザ機器（ＵＥ）に、
前記第２のトランシーバが第２の送信を使用して通信するようにスケジュールされることと同時に、前記第１のトランシーバが第１の送信を使用して通信するようにスケジュールされると決定することと、
前記トランシーバの同時送信によるバッテリー電圧ドループを緩和するために前記第１のトランシーバと前記第２のトランシーバとのうちの少なくとも１つの動作を変更することとを行わせるためのコードを備えるコンピュータ可読記憶媒体を備える、コンピュータプログラム製品。
［Ｃ２２］
前記ＵＥに前記動作を変更させるための前記コードが、前記ＵＥに、同時送信による比吸収率を低減するために前記トランシーバのうちの少なくとも１つの送信を控えさせるためのコードを備える、Ｃ２１に記載のコンピュータプログラム製品。
［Ｃ２３］
前記ＵＥに前記動作を変更させるための前記コードが、前記ＵＥに、同時送信による前記ＵＥの過熱を緩和するために前記トランシーバのうちの少なくとも１つの送信を控えさせるためのコードを備える、Ｃ２１に記載のコンピュータプログラム製品。
［Ｃ２４］
前記ＵＥに前記動作を変更させるための前記コードが、前記ＵＥに、前記送信の電力を低減するために、前記送信を時間的にシフトするために、または前記送信を控えるために、前記トランシーバのうちの少なくとも１つの送信を変更させるためのコードを備える、Ｃ２１に記載のコンピュータプログラム製品。
［Ｃ２５］
前記コンピュータ可読記憶媒体は、前記ＵＥに、前記動作が同時送信の瞬間ごとに電力制御行列に基づいて変更されると決定させるためのコードをさらに備える、Ｃ２１に記載のコンピュータプログラム製品。
［Ｃ２６］
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、Ｃ２５に記載のコンピュータプログラム製品。
［Ｃ２７］
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、Ｃ２５に記載のコンピュータプログラム製品。
［Ｃ２８］
前記ＵＥに前記動作を変更させるための前記コードが、前記ＵＥに、前記第１のトランシーバと前記第２のトランシーバとのそれぞれの送信電力を、電力バジェットを超えないそれらの合成送信電力を制限するように調整させるためのコードを備える、Ｃ２１に記載のコンピュータプログラム製品。
［Ｃ２９］
前記ＵＥにそれぞれの送信電力を調整させるための前記コードが、前記ＵＥに、前記トランシーバのそれぞれの優先度と前記電力バジェットとに基づいて前記トランシーバの前記送信電力を調整させるためのコードを備える、Ｃ２８に記載のコンピュータプログラム製品。
［Ｃ３０］
前記ＵＥに前記トランシーバの前記送信電力を調整させるための前記コードが、前記ＵＥに、それらの優先度に基づいて前記トランシーバに前記電力バジェットのそれぞれの部分を割り振らせるためのコードを備える、Ｃ２９に記載のコンピュータプログラム製品。
［Ｃ３１］
少なくとも１つのプロセッサと、
前記少なくとも１つのプロセッサに両方とも結合された第１のトランシーバと第２のトランシーバとを備える通信インターフェースと、
前記少なくとも１つのプロセッサに結合されたメモリとを備え、
ここにおいて、前記少なくとも１つのプロセッサは、
前記第２のトランシーバが第２の送信を使用して通信するようにスケジュールされることと同時に、前記第１のトランシーバが第１の送信を使用して通信するようにスケジュールされると決定することと、
前記トランシーバの同時送信によるバッテリー電流ドループを緩和するために前記第１のトランシーバと前記第２のトランシーバとのうちの少なくとも１つの動作を変更することとを行うように構成された、ワイヤレス通信のための装置。
［Ｃ３２］
前記少なくとも１つのプロセッサが、同時送信による比吸収率を低減するために前記トランシーバのうちの少なくとも１つの送信を控えるようにさらに構成された、Ｃ３１に記載の装置。
［Ｃ３３］
前記少なくとも１つのプロセッサが、同時送信による前記装置の過熱を緩和するために前記トランシーバのうちの少なくとも１つの送信を控えるようにさらに構成された、Ｃ３１に記載の装置。
［Ｃ３４］
前記少なくとも１つのプロセッサが、前記送信の電力を低減するために、前記送信を時間的にシフトするために、または前記送信を控えるために、前記トランシーバのうちの少なくとも１つの送信を変更するようにさらに構成された、Ｃ３１に記載の装置。
［Ｃ３５］
前記少なくとも１つのプロセッサは、前記動作が同時送信の瞬間ごとに電力制御行列に基づいて変更されると決定するようにさらに構成された、Ｃ３１に記載の装置。
［Ｃ３６］
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、Ｃ３５に記載の装置。
［Ｃ３７］
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、Ｃ３５に記載の装置。
［Ｃ３８］
前記少なくとも１つのプロセッサが、前記第１のトランシーバと前記第２のトランシーバとのそれぞれの送信電力を、電力バジェットを超えないそれらの合成送信電力を制限するように調整するようにさらに構成された、Ｃ３１に記載の装置。
［Ｃ３９］
前記少なくとも１つのプロセッサが、前記トランシーバのそれぞれの優先度と前記電力バジェットとに基づいて前記トランシーバの前記送信電力を調整するようにさらに構成された、Ｃ３８に記載の装置。
［Ｃ４０］
前記少なくとも１つのプロセッサが、それらの優先度に基づいて前記トランシーバに前記電力バジェットのそれぞれの部分を割り振るようにさらに構成された、Ｃ３９に記載の装置。
【国際調査報告】
2016509413.tif 000011
2016509413.tif 000012